(57)【特許請求の範囲】
【請求項１】
長尺状の台紙に複数のラベルが仮着されたラベル連続体をロール状としたロール状ラベル連続体と、このロール状ラベル連続体から移送路に向けてラベル連続体を移送するための移送手段と、を備え、
前記移送路に、ラベル検出部と、印字部と、を順に配置し、
前記移送路に繰り出した前記ラベル連続体のラベルが仮着された面とは反対の面に移行した前記ラベルを除去する除去ローラを前記ラベル検出部の上流側に配置するとともに、
前記除去ローラを回転可能に支持する支持部材と、を設け、
前記支持部材は、
前記除去ローラの支持軸を支持する回動プレートと、
前記回動プレートを前記除去ローラ側に付勢するスプリングと、を有し、  
前記回動プレートを前記スプリングの付勢に抗して回転させることにより前記除去ローラを着脱自在としたことを特徴とするラベルの除去装置。
【発明の詳細な説明】
【０００１】
【発明の属する技術分野】
本発明は、台紙に複数のラベルが順次仮着された面とは反対の面に移行したラベルを除去するラベルの除去装置に関する。
【０００２】
【従来の技術】
図４は、従来のラベル貼付装置４０であり、本体フレーム２に供給部４、ラベル検出部６、印字部８，貼付部１０、台紙巻取部１２を設けてある。
供給部４は、供給軸５を有し、後述するラベル連続体２６を巻回したロール状のラベル連続体２７を回転可能に装填するものである。ラベル検出部６は、透過型のラベル検出センサーが配置され、移送されるラベル連続体２６の台紙２２部分とラベルＬと台紙２２部分との透過量を検出して、剥離板１４の先端にラベルＬの先端を停止させるようにしてある。また、ラベル検出センサーは、反射型のセンサーであってもよい。
【０００３】
印字部８は、印字ヘッド１５とプラテンローラ１６とを有しラベルＬに所望の印字をするものである。
貼付部１０は、剥離板１４と貼付ローラ２０とを有し、剥離板１４は、その先端部を鋭角に形成されるとともに移送されるラベル連続体２６を剥離板１４の先端部で台紙２２を転向させて台紙２２からラベルＬを剥離させるものである。剥離されたラベルＬは前方に繰り出されラベルＬの上面を貼付ローラ２０によって押下されて被着体Ｐに貼付される。また転向した台紙２２は移送されて台紙巻取部１２の巻取軸１３で巻取られる。
巻取軸１３には、図示しない駆動源（移送手段）が配置されるとともに、この駆動源の駆動により巻取軸１３を回転可能にして、ラベル連続体２６を移送可能にしている。
【０００４】
図５はロール状のラベル連続体の側面図であり、長尺状の台紙２２の何れか一方の面にシリコーン樹脂などの剥離剤２３が塗布され、この面に感圧性粘着剤２４を有し、所定形状に型抜きされたラベルＬが所定間隔で複数仮着されている。このように、長尺状の台紙２２にラベルＬが所定間隔で複数仮着されたラベル連続体２６をロール状にしたのがロール状ラベル連続体２７である。
【０００５】
一方、被着体Ｐを搬送する搬送装置２１は、ラベル貼付装置４０の下方に配置され搬送されてくる被着体Ｐ（図４中矢印方向）に所定のタイミングでラベルＬが剥離され被着体Ｐの所望の位置にラベルＬを貼付するものである。上述したラベル貼付装置４０は、供給軸５に装填されたロール状のラベル連続体２７からラベル連続体２６が移送路に向けて繰り出され移送路に配置した案内ローラ１８，１９、ラベル検出部６、印字部８、貼付部１０へと移送される。被着体Ｐが搬送されてくると印字ヘッド１５により印字されるとともに、貼付部１０でラベルＬが剥離されて、貼付ローラ２０の押下により被着体Ｐの上面にラベルＬが貼付される。
【０００６】
しかしながら、前述したラベル連続体２６を製造するラベル製造工程において、ラベルＬを型抜きするものであるが、この時にラベルＬのエッジ部分に感圧性粘着剤２４がはみ出すことがある。とくに、感圧性粘着剤２４を厚く塗布した場合や粘着力を強くするために強粘着剤を塗布する場合にラベルＬのエッジ部分に感圧性粘着剤２４がはみ出すものである。
【０００７】
このように、ラベルＬのエッジ部分からはみ出した感圧性粘着剤２４は、ラベル連続体２６をロール状にした時に、ラベルＬが押圧されて、さらに感圧性粘着剤２４がはみ出し感圧性粘着剤２４が上面を覆っている台紙２２の裏面側に粘着剤２４が貼着するものである。そして、ロール状のラベル連続体２７からラベル連続体２６を引きだした時に、はみ出した感圧性粘着剤２４が台紙２２の裏面に貼着するので、ラベルＬが剥がれて台紙２２の裏面にラベルＬが移行して、台紙２２の裏面に移行ラベルＬ１が貼着することがある。
【０００８】
台紙２２の裏面に貼着した移行ラベルＬ１は、移送路に配置したラベル検出部６またはプラテンローラ１６などに貼り付くものである。ラベル検出部６に移行ラベルＬ１が貼り付いた場合には、貼り付いた移行ラベルＬ１によってセンサー部を隠すので、ラベル連続体２６の移送動作がしなくなるという問題が発生する。また、貼り付いた移行ラベルＬ１は除去しようとしても、粘着剤２４の除去に時間が費やされ作業能率の低下をまねいていた。
【０００９】
また、プラテンローラ１６に移行ラベルＬ１が貼り付いた場合には、印字が欠けたりして印字不良が発生するなどの問題が発生する。
【００１０】
【発明が解決しようとする課題】
本発明は、上述のような問題に鑑みなされたもので、ラベル連続体を移送する移送路に配置したラベル検出部または各ローラなどにラベルの付着を防止して、ラベルの印字発行やラベルの貼着作業の効率を向上させたラベルの除去装置を提供する。
【００１１】
【課題を解決するための手段】
本発明は、台紙の裏面側に貼着したラベルを除去することに着目したもので、長尺状の台紙に複数のラベルが仮着されたラベル連続体をロール状としたロール状ラベル連続体と、このロール状ラベル連続体から移送路に向けてラベル連続体を移送するための移送手段と、を備え、前記移送路に、ラベル検出部と、印字部と、を順に配置し、前記移送路に繰り出した前記ラベル連続体のラベルが仮着された面とは反対の面に移行した前記ラベルを除去する除去ローラを前記ラベル検出部の上流側に配置するとともに、前記除去ローラを回転可能に支持する支持部材と、を設け、前記支持部材は、前記除去ローラの支持軸を支持する回動プレートと、前記回動プレートを前記除去ローラ側に付勢するスプリングと、を有し、  前記回動プレートを前記スプリングの付勢に抗して回転させることにより前記除去ローラを着脱自在としたことを特徴とするラベルの除去装置である。
【００１２】
従って、台紙の裏面側に貼着されている移行ラベルを台紙から除去ローラに移行させて除去することができるので、印字または貼付の作業が中断することがなく作業効率が向上する。また、除去ローラを着脱自在にしたので、貼り付いたラベルを容易に取除いて清掃することができる。
【００１３】
【発明の実施の形態】
以下、本発明の一実施形態について、図１乃至図２を参照して説明する。
なお、図４に示すラベル貼付装置４０の主要構成部材は、本発明とほぼ共通するため、これらについては同一符号を伏して説明を省略する。
本実施の形態のラベル貼付装置１において、ラベルの除去装置を加えたもので、このラベルの除去装置を図１乃至図２に符号２５で示す。
【００１４】
ラベルの除去装置２５は、ラベル連続体を移送する移送路に配置した第１の案内ローラ１８とラベル検出部６との間に設けられている。すなわち、ラベル検出部の上流に配置するものである。ラベルの除去装置２５は、ラベル連続体２６の両面を押圧するように押圧ローラ２９と除去ローラ２８とを配置されている。押圧ローラ２９は、台紙２２の表面側、すなわち台紙２２の剥離剤２３を塗布されラベルＬが所定の間隔で複数仮着された面側からコイルスプリング（図示省略）で押圧するように設けられている。
【００１５】
一方、除去ローラ２８は台紙２２の裏面側、すなわち台紙２２の剥離剤２３を塗布されていない面側に配置され、除去ローラ２８はゴム性などの弾性体で形成され、ラベル連続体２６を押圧ローラ２９と除去ローラ２８によって挟持移送されている。
また、除去ローラ２８の支持軸２８ａの一方端部側は本体フレーム２に回転可能に軸支されるとともに、他方端部側は支持部材３０により軸支されて、除去ローラ２８を回転可能にしている。
支持部材３０は、除去ローラ２８の支持軸２８ａ方向に沿うように固定プレート３１が設けられ、その一方端部は、本体フレーム２に固着される。（図示省略）また、他方端部はＬ字状に形成され孔部３２ａを形成した回動プレート３２が設けられている。
【００１６】
固定プレート３１と回動プレート３２の折り部にはトーションスプリング３３が配置され、回動プレート３２はトーションスプリング３３により、本体フレーム２側に付勢されるように回動可能にしている。また回動プレート３２の孔部は３２ａ、除去ローラ２８の支持軸２８ａを嵌合して除去ローラ２８を回転可能に支持している。
【００１７】
このように構成された本実施形態に係わるラベル貼付装置１は、供給軸５に装填されるロール状のラベル連続体２７からラベル連続体２６が移送路に向けて繰り出される。移送路３には、案内ローラ１８，ラベル除去装置２５、ラベル検出部６、印字部８、貼付部１０とが配置され、ラベル連続体２６は順次移送される。
【００１８】
そして、ラベルＬが台紙２２の裏面側に貼着されて移送されてきた場合には、ラベルの除去装置２５の除去ローラ２８に移行ラベルＬ１が移行して貼着されるので、ラベルの除去装置２５を配置したラベル連続体２６の移送方向の下流側に台紙２２の裏面に移行ラベルＬ１が貼り付いたまま移送されないので、ラベル検出部６のセンサーにラベルＬが付着したり、プラテンローラ１６に付着したりすることがない。
よって、ラベルＬの印字及び被着体へのラベルＬの貼付作業が中断することがないので作業効率が向上する。
【００１９】
また、回動プレート３２を手前に引くことにより容易に除去ローラ２８を着脱自在とすることができるので、除去ローラ２８に貼り付いた移行ラベルＬ１を容易に取り除くことができるとともに、除去ローラ２８の清掃も容易にすることができる。
除去ローラ２８を組み付けるときは、トーションスプリング３３の付勢に抗して回動プレート３２を手前に引き、除去ローラ２８の支持軸２８ａを本体フレーム２に嵌合して、回動フレーム３２の孔部３２ａに支持軸２８ａを嵌合させることにより、除去ローラ２８は支持部材３０に回転可能に支持される。
【００２０】
次に、他の実施の形態を図３に基づいて説明する。
図３に示したラベルの除去装置３８は、除去ローラ２８は前述した構造と同一のものであり、押圧ローラ２９に変えて押圧プレート３４が配置されている。押圧プレート３４は、ラベル連続体２６の移送方向と逆方向に付勢するようにコイルスプリング３６が設けられている。また、支点軸３５を基点に回動するように設けられている。
【００２１】
このように構成したラベルの除去装置３８においても、前述と同様に台紙２２側に移行ラベルＬ１が貼り付いた場合でも、ラベル検出部６のセンサーに移行ラベルＬ１が付着したり、プラテンローラ１６に付着したりすることがなく、ラベルＬの印字及び被着体へのラベルＬの貼付作業が中断することがないので、作業効率が向上する。
【００２２】
なお、本発明はラベル貼付装置を例にして説明したが、ラベルプリンタ或いはラベルの剥離装置など台紙にラベルが仮着された印字媒体を使用する機器に全て適用される。
【００２３】
【発明の効果】
以上詳細に説明したように本発明は、台紙の裏面側に移行した移行ラベルを、移送路に配置した除去ローラによって移行ラベルを台紙から除去ローラに移行させて、台紙から除去することができるので、印字または貼付の作業が中断することがなく作業効率が向上する。また、除去ローラを着脱自在にしたので、貼り付いた移行ラベルを容易に取除いて清掃することができ効果を奏するものである。
【図面の簡単な説明】
【図１】本発明のラベル除去装置を備えたラベル貼付装置の概略説明図である。
【図２】本発明の除去ローラの説明図である。
【図３】他の実施の形態を説明したラベルの除去装置の説明図である。
【図４】従来のラベル貼付装置の概略説明図である。
【図５】ロール状のラベル連続体の側面図である。
【符号の説明】
１  …  ラベル貼付装置
３  …  移送路
４  …  供給部
６  …  ラベル検出部
８  …  印字部
１０  …  貼付部
２２  …  台紙（長尺状）
２４  …  感圧性粘着剤
２５  …  ラベルの除去装置
２６  …  ラベル連続体
２７  …  ロール状ラベル連続体
２８  …  除去ローラ
２９  …  押圧ローラ
３０  …  支持部材
３１  …  固定プレート
３２  …  回動プレート
３８  …  ラベルの除去装置（他の実施の形態）
Ｌ  …  ラベル
Ｌ１  …  移行ラベル
Ｐ  …  被着体
【図１】
0004183214.tif 000002
【図２】
0004183214.tif 000003
【図３】
0004183214.tif 000004
【図４】
0004183214.tif 000005
【図５】
0004183214.tif 000006